(57)【要約】【課題】首部の傾斜角度を任意の角度に変えることのできる液体容器を提供する。【解決手段】可動部の径方向複数箇所に設けた第１乃至第３の屈曲部３ａ，３ｂ，３ｃのうち、任意の屈曲部３ａ，３ｂ，３ｃを基点に変形させることにより、首部２を各屈曲部３ａ，３ｂ，３ｃに応じた任意の傾斜角度Ａ1 ，Ａ2 で保持可能に形成したので、例えば液体Ｌの残量が多い場合は首部２を傾斜角度の大きい傾斜角度に傾け、液体Ｌの残量が少ない場合は首部２を傾斜角度の小さい傾斜角度に傾けることにより、首部２を液体の残量に応じて注ぎやすい角度に傾斜させることができ、液体の残量に拘わらず常に首部２を適正な角度に傾斜させて液体を注出することができる。【選択図】図２
2009220824.tif 000002
【特許請求の範囲】
【請求項１】
任意の液体を収容可能な中空状の容器本体と、上端に液体を注出するための注出口が設けられ、容器本体の上端側から上方に延びる首部と、首部の下端から容器本体の上端に亘って容器本体の径方向に延びるように形成され、その一部を下方に変形させることにより首部を横方向に傾斜可能な可動部とを備えた液体容器において、
前記可動部における首部の下端と容器本体の上端を含む径方向複数箇所に周方向に延びる屈曲部を設け、
任意の屈曲部を基点に変形させることにより、首部を各屈曲部に応じた任意の傾斜角度で保持可能に形成した
ことを特徴とする液体容器。
【請求項２】
前記可動部の周縁に複数の凹部を互いに可動部の周方向に間隔をおいて設けた
ことを特徴とする請求項１記載の液体容器。
【請求項３】
前記容器本体、首部及び可動部を一体に成形した
ことを特徴とする請求項１または２記載の液体容器。
【発明の詳細な説明】
【技術分野】
【０００１】
本発明は、例えばペットボトルのように飲料等の各種液体を収容するために用いられる液体容器に関するものである。
【背景技術】
【０００２】
一般に、清涼飲料、炭酸飲料、お茶、酒類等の各種飲料、または醤油等の調味料は、ペットボトル等のプラスチック製の液体容器に収容して販売されている。この液体容器は、飲料を収容可能な中空状の容器本体と、容器本体の上端側から上方に延びる首部とを備え、首部の上端には飲料を注出するための注出口が設けられている。
【０００３】
この液体容器からコップやグラスに飲料を注ぐ場合には、容器本体を把持して注出口がコップや皿等に臨むように傾けながら液体を注出しているが、液体容器内の液体の量が多い場合など、容器本体を傾けた際に液体が勢いよく吐出する場合があり、液体がコップや皿からこぼれたり、周囲に飛散したりするという問題がある。
【０００４】
そこで、容器本体の上端と首部との間に設けた可動部を変形させることにより、首部を横方向に傾斜させた状態で保持し、容器本体を首部の傾斜方向に傾けながら液体を注出することにより、コップや皿に液体を注ぎやすくしたものが知られている（例えば、特許文献１参照。）。
【特許文献１】特許第３８９０３８２号公報
【発明の開示】
【発明が解決しようとする課題】
【０００５】
ところで、首部を傾斜させた液体容器では、例えば液体の残量が多い場合は首部の傾斜角度が大きい方が注ぎやすく、残量が少ない場合は首部の傾斜角度が小さい方が注ぎやすい。しかしながら、前記液体容器では、容器本体の軸心に対する首部の傾斜角度が一定の角度のみであるため、液体の残量に応じて首部の傾斜角度を変えることはできなかった。
【０００６】
本発明は前記問題点に鑑みてなされたものであり、その目的とするところは、首部の傾斜角度を任意の角度に変えることのできる液体容器を提供することにある。
【課題を解決するための手段】
【０００７】
本発明は前記目的を達成するために、任意の液体を収容可能な中空状の容器本体と、上端に液体を注出するための注出口が設けられ、容器本体の上端側から上方に延びる首部と、首部の下端から容器本体の上端に亘って容器本体の径方向に延びるように形成され、その一部を下方に変形させることにより首部を横方向に傾斜可能な可動部とを備えた液体容器において、前記可動部における首部の下端と容器本体の上端を含む径方向複数箇所に周方向に延びる屈曲部を設け、任意の屈曲部を基点に変形させることにより、首部を各屈曲部に応じた任意の傾斜角度で保持可能に形成している。
【０００８】
これにより、首部を各屈曲部に応じた任意の傾斜角度で保持することにより、例えば液体の残量が多い場合は首部を大きい傾斜角度に傾け、液体の残量が少ない場合は首部を小さい傾斜角度に傾けることにより、首部を液体の残量に応じて注ぎやすい角度に傾斜させることができる。
【発明の効果】
【０００９】
本発明の液体容器によれば、首部の傾斜角度を任意に変えることができるので、首部を液体の残量に応じて注ぎやすい角度に傾斜させることができ、液体の残量に拘わらず常に首部を適正な角度に傾斜させて液体を注出することができる。
【発明を実施するための最良の形態】
【００１０】
図１乃至図１０は本発明の一実施形態を示すもので、図１は液体容器の全体斜視図、図２はその正面図、図３はその要部正面断面図、図４は首部を第１の傾斜角度で傾斜させた状態を示す要部正面断面図、図５は首部を第２の傾斜角度で傾斜させた状態を示す要部正面断面図、図６は首部の傾斜保持構造を示す説明図、図７及び図８は飲料注出状態を示す側面図、図９は首部を第１の傾斜角度で傾斜させた場合の液溜まりを示す要部正面断面図、図１０は首部を第２の傾斜角度で傾斜させた場合の液溜まりを示す要部正面断面図である。
【００１１】
この液体容器は、飲料を収容可能な容器本体１と、容器本体１の上端側から上方に延びる首部２と、首部２の下端から容器本体の上端に亘って容器本体１の径方向外側に向かって延びるように形成された可動部３とを備え、可動部３の一部を変形させることにより、首部２が容器本体１の軸心に対して傾斜するように形成されている。この場合、容器本体１、首部２及び可動部３は周知のブロー成型によって一体に成形されている。
【００１２】
容器本体１は縦長の中空形状を有し、所定の容量（例えば、５００ミリリットル、１リットル、１．５リットル、２リットル等）に応じた大きさに形成されている。
【００１３】
首部２は、上端側に上下方向に円筒状に延びる注出口２ａを有し、下端側は上下方向略中央部の径が大きくなるように形成されている。首部２の上端にはキャップ形の蓋４がネジ嵌合により取付けられ、蓋４によって注出口２ａが開閉されるようになっている。
【００１４】
可動部３は首部２の下端から容器本体１の上端に向かって下り傾斜をなすテーパ状をなすように形成され、首部２の下端と、容器本体１の上端と、首部２と容器本体１との間の径方向所定位置には、それぞれ周方向に延びる第１、第２及び第３の屈曲部３ａ，３ｂ，３ｃが設けられている。可動部３は、第１の屈曲部３ａと第２の屈曲部３ｂとの間に形成された第１の可変部３ｄと、第２の屈曲部３ｂと第３の屈曲部３ｃとの間に形成された第２の可変部３ｅからなり、各可変部３ｄ，３ｅは横断面がそれぞれ外側に向かって凸状をなす緩やかな曲面状に形成されている。即ち、各屈曲部３ａ，３ｂ，３ｃはそれぞれ内側に向かって括れるように形成されている。
【００１５】
以上のように構成された液体容器は、図２(a) に示すように首部２が傾斜していない状態と、図２(b) に示すように首部２が小さい角度で傾斜した状態と、図２(c) に示すように首部２が大きい角度で傾斜した状態にそれぞれ首部２を保持可能になっている。この場合、首部２を傾斜していない状態から傾けると、まず、図４に示すように可動部３の第１及び第２の可変部３ｄ，３ｅが第１及び第３の屈曲部３ａ，３ｃを基点に屈曲し、首部２が第１の傾斜角度Ａ1 （例えば１５゜）で保持される。ここで、首部２が第１の傾斜角度Ａ1 で保持されるのは、図６(a) に示すように首部２の傾斜によって第１の屈曲部３ａが位置Ｐ1 から位置Ｐ2 に移動する際、第１の屈曲部３ａと第３の屈曲部３ｃとの間に可動部３の径方向の最大圧縮力が生ずる位置Ｑ1 を第１の屈曲部３ａが乗り越えるため、外部から反対方向への力を加えなければ、位置Ｐ2 に移動した第１の屈曲部３ａが位置Ｐ1 に戻らないからである。次に、首部２を更に傾けると、図５に示すように可動部３の第１の可変部３ｄのみが第２の屈曲部３ｂを基点に屈曲し、首部２が第２の傾斜角度Ａ2 （例えば３０゜）で保持される。ここで、首部２が第２の傾斜角度Ａ2 で保持されるのは、図６(b) に示すように首部２の傾斜によって第１の屈曲部３ａが位置Ｐ2 から位置Ｐ3 に移動する際、第１の屈曲部３ａと第２の屈曲部３ｂとの間に可動部３の径方向の最大圧縮力が生ずる位置Ｑ2 を第１の屈曲部３ａが乗り越えるため、外部から反対方向への力を加えなければ、位置Ｐ3 に移動した第１の屈曲部３ａが位置Ｐ2 に戻らないからである。尚、各屈曲部３ａ，３ｂ，３ｃは可動部３の周方向に連続して形成されているため、首部２は可動部３の周方向の何れの向きにも傾斜させることができる。
【００１６】
前記液体容器には、例えば飲料や調味料等、任意の液体Ｌが収容され、図７に示すようにグラス５に液体Ｌを注ぐ際、首部２をグラス５側に傾斜させた状態で容器本体１を傾けることにより、液体Ｌがグラス５に向かって吐出しやすくなり、液体Ｌをグラス５からこぼしたり、或いはグラス５の周囲に飛散させることが少なくなる。その際、液体Ｌの残量が多い場合は首部２を傾斜角度の大きい第２の傾斜角度Ａ2 に傾け、液体Ｌの残量が少ない場合は首部２を傾斜角度の小さい第１の傾斜角度Ａ1 に傾けることにより、首部２を液体Ｌの残量に応じて注ぎやすい角度に傾斜させることができる。この場合、例えば調味料等のように液体を少量ずつ注出させたい場合は、図８に示すように容器６に液体Ｌを注ぐ際、首部２を容器６の反対側に傾斜させて注出するようにすれば、容器本体１を傾けても液体Ｌが一度に多量に吐出することがなく、液体Ｌを少量ずつ容易に注出することができる。
【００１７】
このように、本実施形態の液体容器によれば、可動部の径方向複数箇所に設けた第１乃至第３の屈曲部３ａ，３ｂ，３ｃのうち、任意の屈曲部３ａ，３ｂ，３ｃを基点に変形させることにより、首部２を各屈曲部３ａ，３ｂ，３ｃに応じた任意の傾斜角度Ａ1 ，Ａ2 で保持可能に形成したので、例えば液体Ｌの残量が多い場合は首部２を傾斜角度の大きい第２の傾斜角度Ａ2 に傾け、液体Ｌの残量が少ない場合は首部２を傾斜角度の小さい第１の傾斜角度Ａ1 に傾けることにより、首部２を液体Ｌの残量に応じて注ぎやすい角度に傾斜させることができ、液体Ｌの残量に拘わらず常に首部２を適正な角度に傾斜させて液体Ｌを注出することができる。
【００１８】
また、容器本体１内に液体Ｌが僅かに残った際、図９に示すように首部２を第１の傾斜角度Ａ1 で傾斜させた場合と、図１０に示すように首部２を第２の傾斜角度Ａ2 で傾斜させた場合とを比較すると、第１の傾斜角度Ａ1 の場合では第２の傾斜角度Ａ2 の場合よりも可動部３の第１の可変部３ｄが容器本体１の内側に屈曲していない分、可動部３と容器本体１の側面との間の液溜まりが少なくなり、調味料等のように容器本体１内の液残りを少なくしたい場合に有利である。
【００１９】
更に、容器本体１、首部２及び可動部３を一体に成形したので、例えばブロー成型によって一般の液体容器と同様の製造方法によって製造することができ、実用化に際して極めて有利である。
【００２０】
尚、本発明は飲料や調味料以外にも、例えば、油、洗剤類、工業用液剤等、各種の液体を収容するものに適用することが可能である。
【００２１】
図１１及び図１２は本発明の他の実施形態を示すもので、図１１は液体容器の平面図、図１２はその要部正面図である。尚、前記実施形態と同等の構成部分には同一の符号を付して示す。
【００２２】
本実施形態の液体容器は、第３の屈曲部３ｃの周縁に位置するように設けられた複数の凹部３ｆを備え、各凹部３ｆは互いに可動部３の周方向に間隔をおいて設けられている。この場合、各凹部３ｆはそれぞれ可動部３の第２の可変部３ｅから容器本体１の側面に亘って延びるように形成されている。
【００２３】
これにより、可動部３が変形する際、可動部３の周縁に生ずる周方向の応力が各凹部３ｆの周方向の変形によって吸収され、可動部３を繰り返し変形させても可動部３の周縁に亀裂が生ずることがなく、耐久性の向上を図ることができる。
【図面の簡単な説明】
【００２４】
【図１】本発明の一実施形態を示す液体容器の全体斜視図
【図２】液体容器の正面図
【図３】液体容器の要部正面断面図
【図４】首部を第１の傾斜角度で傾斜させた状態を示す要部正面断面図
【図５】首部を第２の傾斜角度で傾斜させた状態を示す要部正面断面図
【図６】首部の傾斜保持構造を示す説明図
【図７】飲料注出状態を示す側面図
【図８】飲料注出状態を示す側面図
【図９】首部を第１の傾斜角度で傾斜させた場合の液溜まりを示す要部正面断面図
【図１０】首部を第２の傾斜角度で傾斜させた場合の液溜まりを示す要部正面断面図
【図１１】本発明の他の実施形態を示す液体容器の平面図
【図１２】液体容器の要部正面図
【符号の説明】
【００２５】
１…容器本体、２…首部、３…可動部、３ａ…第１の屈曲部、３ｂ…第２の屈曲部、３ｃ…第３の屈曲部、３ｄ…第１の可変部、３ｅ…第２の可変部、３ｆ…凹部、Ｌ…液体。
【図１】
2009220824.tif 000003
【図２】
2009220824.tif 000004
【図３】
2009220824.tif 000005
【図４】
2009220824.tif 000006
【図５】
2009220824.tif 000007
【図６】
2009220824.tif 000008
【図７】
2009220824.tif 000009
【図８】
2009220824.tif 000010
【図９】
2009220824.tif 000011
【図１０】
2009220824.tif 000012
【図１１】
2009220824.tif 000013
【図１２】
2009220824.tif 000014